(57)【要約】  本発明は、ビデオ／写真機器のための三脚（１；１００）に関する。該三脚は、軸方向に滑動して次々と入子式に伸縮可能に係合する第１、第２および第３の部分（４，５，６）を含む少なくとも１つの脚部（３）と、第１の部分（４）と第２の部分（５）との間に設けられた第１のクランプ装置（１０）および第２の部分（５）と第３の部分（６）との間に設けられた第２のクランプ装置（２０）と、第１のクランプ装置（１０）に接続された作動要素（７）と、第１のクランプ装置（１０）の移動が第２のクランプ装置（２０）を同様に移動させて、第１のクランプ装置および第２のクランプ装置が同時にクランプまたはクランプ解除されるように、第１のクランプ装置と第２のクランプ装置とを接続する移動要素（３１）と、移動要素（３１）を介して第２のクランプ装置（２０）を調整するように、第１のクランプ装置（１０）に設けられた調整部材（３０）と、を備える。【選択図】図１
2022502706.tif 000002
【特許請求の範囲】
【請求項１】
ビデオ／写真機器のための三脚（１；１００）であって、
収縮状態と伸長状態との間で入子式に伸縮可能な少なくとも１つの脚部（３）であって、第１の部分（４）と、軸方向に滑動するように前記第１の部分と係合する第２の部分（５）と、軸方向に滑動するように前記第２の部分と係合する第３の部分（６）と、を含む、少なくとも１つの脚部（３）と、
前記第１の部分（４）と前記第２の部分（５）との間に設けられて前記第１の部分と前記第２の部分との間の相対的な軸方向の滑動を止めたり解放したりする第１のクランプ装置（１０）と、
前記第２の部分（５）と前記第３の部分（６）との間に設けられて前記第２の部分と前記第３の部分との間の相対的な軸方向の滑動を止めたり解放したりする第２のクランプ装置（２０）と、
前記第１のクランプ装置のクランプまたはクランプ解除を制御するように、前記第１のクランプ装置（１０）に接続された制御要素（７）と、
前記第１のクランプ装置（１０）の移動が前記第２のクランプ装置（２０）を同様に移動させて、前記第１のクランプ装置および前記第２のクランプ装置が同時にクランプまたはクランプ解除されるように、前記第１のクランプ装置と前記第２のクランプ装置とを接続する移動要素（３１）と、
を備え、
前記移動要素（３１）を介して前記第２のクランプ装置（２０）を調整するように前記第１のクランプ装置（１０）に設けられた、前記第２のクランプ装置（２０）のための調整部材（３０）を備えることを特徴とする、
三脚。
【請求項２】
前記第１のクランプ装置（１０）は、前記第２の部分（５）に取り付けられ、
前記第１のクランプ装置（１０）は、
相対的な滑動を止めたり解放したりするように、前記第１の部分（４）から離れるようにまたは前記第１の部分（４）に向かうように移動可能な第１のランナー（１２）と、
前記第１の作動部（１５；１１５）が前記制御要素（７）から離れるように移動されたときに、前記第１の部分（４）から離れるようにまたは前記第１の部分（４）に向かうように前記第１のランナー（１２）を移動させる、前記制御要素（７）および前記第１のランナー（１２）に接続された第１の作動部（１５；１１５）と、
を備える、
請求項１に記載の三脚。
【請求項３】
前記第２のクランプ装置（２０）は、前記第２の部分（５）に取り付けられ、
前記第２のクランプ装置（２０）は、
相対的な滑動を止めたり解放したりするように、前記第３の部分（６）から離れるようにまたは前記第３の部分（６）に向かうように移動可能な第２のランナー（２２）と、
前記第２の作動部（２３）が前記移動要素（３１）によって移動されたときに、前記第３の部分から離れるようにまたは前記第３の部分に向かうように前記第２のランナーを移動させる、前記第２のランナー（２２）および前記移動要素（３１）に接続された第２の作動部（２３）と、
を備える、
請求項１または２に記載の三脚。
【請求項４】
前記第２のランナー（２２）は、前記移動要素（３１）の移動によってもたらされる前記第２の作動部（２３）の揺動に従って、前記第３の部分から離れるようにまたは前記第３の部分に向かうように移動される、
請求項３に記載の三脚。
【請求項５】
前記移動要素（３１）は、前記第１の作動部（１５；１１５）の揺動が前記移動要素（３１）を移動させて、その結果、前記第２の作動部（２３）を揺動させるように、前記第１の作動部に接続される、
請求項２〜４のいずれか１項に記載の三脚。
【請求項６】
前記調整部材（３０）は、前記第２の部分（５）に対して前記第１のクランプ装置（１０）を移動させるように設けられる、
請求項１〜５のいずれか１項に記載の三脚。
【請求項７】
前記第１のクランプ装置（１０）は、前記第２の部分（５）に固定された第１のハウジング（１１）を備え、前記調整部材（３０）は、前記第１のハウジング内で滑動可能且つ前記第１の作動部（１５；１１５）を支持するスライダ（１８）を備える、
請求項２〜６のいずれか１項に記載の三脚。
【請求項８】
前記調整部材（３０）は、前記第１のハウジング（１１）に対して前記スライダ（１８）が移動するように、前記スライダ（１８）と前記第１のハウジング（１１）との間に配置された楔部（１９）を備える、
請求項７に記載の三脚。
【請求項９】
前記第１の作動部（１５）は、前記作動要素（７）を介して回転軸（Ｙ）を中心に揺動可能なカム型要素（１６）を備え、前記カム型要素（１６）は、タイロッド（１４）を介して前記第１のランナー（１２）に接続され、前記移動要素（３１）は、前記回転軸（Ｙ）に対して偏心した位置で前記カム型要素（１６）に接続される、
請求項２〜８のいずれか１項に記載の三脚。
【請求項１０】
前記第１の作動部（１１５）は、
前記作動要素（７）を介して第１の可動回転軸（Ｙ’）を中心に揺動することができ、前記第１の回転軸（Ｙ’）から間隔をおいて前記移動要素（３１）に接続された第１のレバー（１０１）と、
第２の回転軸（Ｙ”）を中心に揺動することができ、前記第１のランナー（１２）に接続され、前記第２の回転軸（Ｙ”）から間隔をおいて前記第１の可動回転軸（Ｙ’）で前記第１のレバー（１０１）にヒンジ固定された第２のレバー（１０２）と、
を備える、
請求項２〜８のいずれか１項に記載の三脚。
【請求項１１】
前記第２の部分（５）は、少なくとも１つの管（５ａ，５ｂ）を備え、前記移動要素（３１）は、前記第１のクランプ装置（１０）と前記第２のクランプ装置（２０）との間の前記少なくとも１つの管の内部で延在する、
請求項１〜１０のいずれか１項に記載の三脚。
【発明の詳細な説明】
【技術分野】
【０００１】
本発明は、添付の特許請求の範囲の主請求項の前提部に記載された特徴を有する、ビデオ／写真機器のための三脚に関する。
【背景技術】
【０００２】
三脚は、写真の業界では一般的に使用される支持装置であり、一般的に、入子式に伸縮可能な複数の脚部（leg）を備える。これらの脚部は、その特定の端部がすべてスパイダにヒンジ固定されており、そこには、例えばビデオ／写真機器を支持するためのヘッドが取り付けられる場合がある。
【０００３】
一般的に、三脚の脚部は、互いに係合して互いに内部に入子式に滑動可能な少なくとも３つの部分（section）を備える。これにより、三脚は、運搬や保管に便利なコンパクトな状態から、ビデオ／写真機器のための安定した支持体として三脚を使用することができる伸長状態へと迅速に移動することができる。
【０００４】
また、伸縮可能な脚部の一方の部分と他方の部分との間には、クランプ装置がそれぞれ設けられる。クランプ装置は、ユーザによって動作可能に制御されて、連続した部分間の相対的な滑動を止めたり解放したりすることができる。これにより、上述したコンパクトな状態と伸長状態との間で移動することができ、また、各部分の対が伸長される相対的な度合いを調整することができる。
【０００５】
さらに、関連する技術分野では、脚部の入子式伸縮部分をクランプするための複数の装置を単一の制御要素で同時に制御することができる三脚が知られている。これにより、ユーザは、１回の動作で、脚部のすべての入子式伸縮部分を有利にクランプおよび／またはクランプ解除することができる。
【０００６】
さらに、伸縮可能な脚部の入子式伸縮部分の少なくとも１つが、互いから離間する１対の平行な管から形成される三脚が知られている。このような構造によって、より剛性の高い脚部を実現することができ、結果としてより安定した三脚を得ることができる。これは、例えばパノラマビデオの撮影時など、三脚に取り付けられた機器を使用中に移動する場合に特に重要な特徴である。
【０００７】
米国特許第５８８７８３５号、米国特許第６０８２６８５号、米国特許第６７０２４８２号および米国特許第７６５４４９４号には、脚部の入子式伸縮部分をクランプまたはクランプ解除するための単一の制御装置を有する三脚の例がそれぞれ記載されている。
【０００８】
しかしながら、上述した従来技術に従って形成された単一制御式の三脚は、多くの欠点を有している。その一例として、例えば第１の部分と第２の部分との間が非常に強くクランプされ、第２の部分と第３の部分との間ではクランプが不十分になるなど、クランプ装置によって加えられる締め付け力が不平衡になる可能性があることが挙げられる。
【０００９】
このような状況は、クランプ装置にそれぞれ作用する調整部材を個別に独立して設けて、各装置によって加えられる締め付け動作を調整することで改善することができる。しかしながら、この操作は、ユーザにとって不便で手間がかかる場合がある。
【００１０】
本明細書において、脚部の「部分」という用語は、脚部の軸に沿って長手方向に延在し、他の同様の部分に対して軸方向に滑動可能な脚部の剛性部分を意味する。この部分は、脚部の軸に平行な単一の管または複数の管を備えてもよい。
【００１１】
また「カム型要素」という用語は、必ずしも固定されたものではない回転軸を中心に揺動するように意図された要素を意味する。これは、少なくとも部分的に偏心した外面を有し、上記揺動に従って、カム型要素の外面に接触している要素が移動する。
【発明の概要】
【発明が解決しようとする課題】
【００１２】
本発明によって対処される問題は、引用された従来技術を参照して上述した１つまたは複数の欠点を少なくとも部分的に克服するように構造的および機能的に設計された、ビデオ／写真機器のための三脚を提供することである。
【課題を解決するための手段】
【００１３】
添付の特許請求の範囲に従って実現された三脚による本発明によって、上述した問題が解決される。
【００１４】
したがって、第１の態様では、本発明は、ビデオ／写真機器のための三脚に関する。該三脚は、収縮状態と伸長状態との間で入子式に伸縮可能な脚部を少なくとも１つ備える。脚部は、第１の部分と、軸方向に滑動するように第１の部分と係合する第２の部分と、軸方向に滑動するように第２の部分と係合する第３の部分と、を備える。
【００１５】
好ましくは、三脚は、第１の部分と第２の部分との間に設けられてそれらの相対的な軸方向の滑動を止めたり解放したりする第１のクランプ装置と、第２の部分と第３の部分との間に設けられてそれらの相対的な軸方向の滑動を止めたり解放したりする第２のクランプ装置と、を備える。
【００１６】
また、好ましくは、三脚は、第１のクランプ装置に接続されて第１のクランプ装置のクランプまたはクランプ解除を制御する制御要素と、第１のクランプ装置の移動が第２のクランプ装置を同様に移動させて、第１のクランプ装置および第２のクランプ装置が実質的に同時にクランプまたはクランプ解除されるように、第１のクランプ装置と第２のクランプ装置とを接続する移動要素と、を備える。
【００１７】
また、好ましくは、三脚は、移動要素を介して第２のクランプ装置を調整するように第１のクランプ装置に設けられた、第２のクランプ装置のための調整部材を備える。
【００１８】
このようにして、２つのクランプ装置のための唯一の制御要素が設けられた第１のクランプ装置によって、第２のクランプ装置の締め付け動作を有利に調整することができる。
【００１９】
これにより、ユーザは、より便利で使用しやすい位置に調整部材をもってきて、調整を行うことができる。
【００２０】
また、上述した態様では、本発明は、以下に記載する好ましい特徴を１つまたは複数備えることができる。
【００２１】
好ましくは、第１の部分は、１対の平行な管を備える。
【００２２】
好ましくは、第１のクランプ装置は、三脚のスパイダに対向する第２の部分の第１の端部に固定された第１のハウジングを備える。
【００２３】
好ましくは、第１の部分は、第１のハウジング内に形成された座部内で滑動することができる。
【００２４】
また、好ましい実施形態では、第２の部分は、第１の部分の管に対して実質的に同一平面上にある１対の平行な管から形成される。これらの管は、第１の部分の管の間に配置される。
【００２５】
好ましくは、第１のクランプ装置は、相対的な滑動を止めたり解放したりするように、第１の部分から離れるようにまたは第１の部分に向かうように移動可能な第１のランナーを備える。
【００２６】
好ましくは、第１のクランプ装置は、第１の作動部が制御要素によって移動されたときに、第１の部分から離れるようにまたは第１の部分に向かうように第１のランナーを移動させる、制御要素および第１のランナーに接続された第１の作動部を備える。
【００２７】
特に好ましくは、第１のランナーは、制御要素の作動によってもたらされる第１の作動部の揺動に従って、第１の部分から離れるようにまたは第１の部分に向かうように移動される。
【００２８】
また、好ましくは、第２のクランプ装置は、第１の端部の反対側で脚部の基部に対向する第２の部分の第２の端部に固定された第２のハウジングを備える。
【００２９】
好ましくは、第３の部分は、第２のハウジング内に形成された座部内で滑動することができる単一の管から形成される。
【００３０】
好ましくは、第２のクランプ装置は、第２の部分に対する相対的な滑動を止めたり解放したりするように、第３の部分から離れるようにまたは第３の部分に向かうように移動可能な第２のランナーと、第２の作動部が移動要素によって移動されたときに、第３の部分から離れるようにまたは第３の部分に向かうように第２のランナーを移動させる、第２のランナーおよび移動要素に接続された第２の作動部と、を備える。
【００３１】
好ましくは、第２のランナーは、移動要素の移動によってもたらされる第２の作動部の揺動に従って、第３の部分から離れるようにまたは第３の部分に向かうように移動される。
【００３２】
第１のランナーおよび第２のランナーは、互いに類似しており、クランプされる部分を形成する管（または複数の管）に対して、好ましくは並進移動される。
【００３３】
第１のランナーおよび第２のランナーは、クランプされる管（または複数の管）と直接接触することができ、または、好ましい実施例では、軸方向に離間する１対のブレーキ要素を、各管に対して半径方向（クランプ装置のハウジング内に形成された特定の滑動座部に対して管を締め付けるため）および軸方向（クランプ装置のハウジング内の管のあらゆる揺動を止めて、クリアランスと寸法公差を回復させるため）に押すことができる。
【００３４】
第１のランナーおよび第２のランナーは、押し込み動作またはけん引動作を介して、第１の作動部および第２の作動部によって、それぞれクランプされる特定の部分に向かうように移動することができる。
【００３５】
さらに、第１のランナーおよび第２のランナーは、ばねまたは他の弾性要素によって、クランプされる特定の部分から離れるように押され得る。
【００３６】
好ましくは、移動要素は、第１の作動部の揺動が移動要素を移動させて、その結果、第２の作動部を揺動させるように、第１の作動部に接続される。
【００３７】
移動要素は、好ましくは剛性ロッドから形成され、より好ましくは１対の剛性ロッドから形成される。
【００３８】
一実施形態では、移動要素は、第１のクランプ要素と第２のクランプ装置との間の第２の部分の管の内部で延在する。代替的に、移動要素が１対の剛性ロッドから形成され、第２の部分が１対の平行な管を備える場合、ロッドは、１対の管の内部で延在する。
【００３９】
このようにして、移動要素は、外部から見えず、追加の保護部品を設けることなく、起こり得る衝撃に対して適切に保護される。
【００４０】
さらに、１対のロッドを設けることで、第２のクランプ装置にバランスのとれた力を伝達することができる。
【００４１】
好ましくは、調整部材は、第２の部分に対して第１のクランプ装置を移動させるように設けられる。これにより、第１のクランプ装置と第２のクランプ装置との間の間隔が変化して、第２の作動部に対する移動要素の動作が変化する。
【００４２】
特に好ましくは、調整部材は、第１のハウジング内で滑動可能且つ第１の作動部を支持するスライダを備える。
【００４３】
また、好ましくは、調整部材は、第１のハウジングに対してスライダが移動するように、スライダと第１のハウジングとの間に配置された楔部を備える。
【００４４】
特に、第１の作動部は、脚部の長手方向軸に実質的に平行な方向に、第２のクランプ装置から離れるようにまたは第２のクランプ装置に近づくように移動される。
【００４５】
これにより、第１の作動部と第２の作動部との間の距離を変化させることができ、移動要素の動作、ならびに第１の作動部および第２の作動部との接続を利用して、第１の作動部に対する第２の作動部の初期位置を変更し、第３の部分に対する第２のランナーの初期位置を変更することができる。
【００４６】
楔部は、ねじ回しなどの一般的な工具を介して外部から作動させることができるねじ付きピンによって移動させることができる。
【００４７】
本発明の第１の実施形態では、第１の作動部は、制御要素を介してその回転軸を中心に揺動可能なカム型要素を備える。
【００４８】
好ましくは、制御要素は、カム型要素に一体的に固定される。
【００４９】
好ましくは、カム型要素は、タイロッドを介して第１のランナーに接続され、より好ましくは、タイロッドは、回転軸においてカム型要素に接続される。
【００５０】
好ましくは、移動要素は、回転軸に対して偏心した位置でカム型要素に接続される。このようにして、カム型要素が回転軸を中心に揺動したときに、移動要素は、円弧状の軌道に沿って移動される。
【００５１】
好ましくは、カム型要素は、揺動の際に、その外面の偏心が第１のハウジング内でカム型要素を移動させるように、第１のハウジングに接触する。タイロッドを設けることで、この移動を、第１の部分に近づくように移動される第１のランナーに伝達することができる。
【００５２】
好ましくは、第１のランナーと第１の作動部との間の距離は、タイロッドを操作することで調整することができる。ここで、タイロッドは、例えば第１のランナーの外側のナットとねじ結合することができ、スパナを介してユーザが接触することができるねじ結合によって、カム型要素と係合することができる。
【００５３】
この第１の実施形態では、タイロッドと楔部とをそれぞれ操作することで、第１のクランプ装置および第２のクランプ装置のそれぞれのクランプ負荷を互いから独立して調整することができる。
【００５４】
本発明の第２の実施形態では、第１の作動部は、制御要素を介して第１の可動回転軸を中心に揺動可能な第１のレバーを備える。
【００５５】
好ましくは、第１のレバーは、第１の回転軸から間隔をおいて移動要素に接続される。
【００５６】
また、好ましくは、第１の作動部は、第２の回転軸を中心に揺動可能な第２のレバーを備える。
【００５７】
好ましくは、第２のレバーは、第２の回転軸から間隔をおいて第２のレバーに固定されたタイロッドを介して第１のランナーに接続される。
【００５８】
また、好ましくは、第２のレバーは、第２の回転軸から間隔をおいて第１の可動回転軸で第１のレバーにヒンジ固定される。
【００５９】
この第２の実施形態では、第１の作動部の構成によって形成された運動学的接続について、第１の作動部が第１のランナーに及ぼす動作は、移動要素が第２の作動部に及ぼす動作に依存する。これにより、２つのクランプ装置の締め付け動作間の関係は、常に一定になる。
【００６０】
換言すると、第１のクランプ装置および第２のクランプ装置の締め付け動作は、常にバランスがとれている。
【００６１】
このようにして、両方のクランプ装置のクランプ負荷を１度だけ調整するだけで充分である。
【００６２】
特に、第２のレバーは、第２の回転軸においてスライダに支持されており、スライダは、調整部材の動作によって、第１のハウジング内で移動することができる。
【００６３】
第１の実施形態と同様に、調整部材は、スライダおよび第１の作動部が移動するように、スライダと第１のハウジングとの間に配置された楔部を備える。
【００６４】
第２の態様でも、本発明は、ビデオ／写真機器のための三脚に関する。該三脚は、
・  収縮状態と伸長状態との間で入子式に伸縮可能な少なくとも１つの脚部であって、第１の部分と、軸方向に滑動するように第１の部分と係合する第２の部分と、軸方向に滑動するように第２の部分と係合する第３の部分と、を含む少なくとも１つの脚部と、
・  第１の部分と第２の部分との間に設けられて第２の部分と第１の部分との間の相対的な軸方向の滑動を止めたり解放したりする第１のクランプ装置と、
・  第２の部分と第３の部分との間に設けられて第３の部分と第２の部分との間の相対的な軸方向の滑動を止めたり解放したりする第２のクランプ装置と、
・  第１のクランプ装置に接続されて第１のクランプ装置のクランプまたはクランプ解除を制御する制御要素と、
・  第１のクランプ装置の移動が第２のクランプ装置を同様に移動させて、第１のクランプ装置および第２のクランプ装置が同時にクランプまたはクランプ解除されるように、第１のクランプ装置と第２のクランプ装置とを接続する移動要素と、
を備え、ここで、第１のクランプ装置は、第２の部分に取り付けられ、第１のクランプ装置は、
・  相対的な滑動を止めたり解放したりするように、第１の部分から離れるようにまたは第１の部分に向かうように移動可能な第１のランナーと、
・  制御要素を介して第１の可動回転軸を中心に揺動することができ、第１の回転軸から間隔をおいて移動要素に接続された第１のレバーと、
・  第２の回転軸を中心に揺動することができ、タイロッドを介して第１のランナーに接続され、第２の回転軸から間隔をおいて第１の可動回転軸で第１のレバーにヒンジ固定された第２のレバーと、
を備える。
【図面の簡単な説明】
【００６５】
本発明の特徴および利点は、添付の図面を参照して非限定的に例示された好ましい実施形態に関する以下の詳細な説明からより明確になるであろう。
【図１】伸長状態且つ開状態にある、本発明の第１の実施形態に従って形成された、ビデオ／写真機器のための三脚の斜視図である。
【図２】クランプ装置が開状態となるコンパクトな状態にある、図１に示す三脚の脚部の斜視図である。
【図３】図２に示す脚部の第１のクランプ装置の部分拡大図および軸方向断面図である。
【図４】図３に示す第１のクランプ装置の側面図であり、ここでは、図を明確にするために一部の構成要素が省略されている。
【図５】図２に示す脚部の第２のクランプ装置の側面図であり、ここでは、図を明確にするために一部の構成要素が省略されている。
【図６】クランプ装置が閉状態にある、図４と同様の図である。
【図７】クランプ装置が閉状態にある、図５と同様の図である。
【図８】開位置にある、本発明の第２の実施形態である三脚の第１のクランプ装置を上から見た斜視図であり、ここでは、図を明確にするために一部の構成要素が省略されている。
【図９】図８に示す第１のクランプ装置の斜視図であり、ここでは、図を明確にするために追加の構成要素が省略されている。
【図１０】第１のクランプ装置が閉位置にある、図９と同様の図である。
【発明を実施するための形態】
【００６６】
まず、図１〜図７を参照すると、本発明の第１の実施形態に従って形成された三脚が、参照符号１によって全体として示されている。
【００６７】
三脚１は、スパイダ２を備える。スパイダ２には、複数の脚部３がヒンジ固定される。各脚部３の第１の端部３ａは、スパイダ２にヒンジ固定され、反対側の第２の端部には、脚部３の支持ベースを構成する足部３ｂが設けられる。
【００６８】
スパイダ２には、当該分野で知られている方法によって、ビデオ／写真機器を支持するためのヘッド２ａが取り付けられ得る。
【００６９】
各脚部３は、スパイダ２にヒンジ固定される。これにより、各脚部３は、地面への三脚１の支持平面が増加するように脚部３を互いから離すように移動した開状態（図１）と、脚部３を互いに向かうように移動した閉状態との間で揺動することができる。
【００７０】
各脚部３は、長手方向軸Ｘに沿って入子式に伸縮することができる。また、各脚部３は、スパイダ２にヒンジ固定された第１の部分４と、軸方向に滑動するように第１の部分４と係合する第２の部分５と、軸方向に滑動するように第２の部分５と係合し、足部３ｂが取り付けられる第３の部分６と、を備える。
【００７１】
ここに記載する好ましい実施形態では、第１の部分４は、１対の平行な管４ａおよび４ｂを備え、第２の部分５は、管４ａと管４ｂとの間に滑動可能に配置された１対の平行な管５ａおよび５ｂを備え、第３の部分６は、管５ａと管５ｂとの間に滑動可能に配置された１つの管６ａを備える。
【００７２】
また、各脚部３は、２つの部分間の相対的な滑動を止めたり解放したりするように、第１の部分４と第２の部分５との間に配置された第１のクランプ装置１０と、同じ目的で第２の部分５と第３の部分６との間に設けられた第２のクランプ装置２０と、を備える。
【００７３】
このようにして、脚部３の３つの入子式伸縮部分を、所望の相対的な位置に固定することができる。
【００７４】
第１のクランプ装置１０は、スパイダ２に対向する第２の部分５の第１の端部５ｃに固定された箱型の第１のハウジング１１を備える。ハウジング内には、第１の部分４の管４ａおよび管４ｂのための滑動座部が形成される。
【００７５】
また、第１のクランプ装置１０は、長手方向軸Ｘに実質的に垂直な方向に、管４ａおよび４ｂに向かうように第１のハウジング１１内で移動可能な第１のランナー１２を備える。これにより、第１のハウジング１１のそれぞれの座部に対して管を押し付けて、それらの滑動を止めることができる。特に、第１のランナー１２は、ブレーキ要素１２ａのそれぞれの対を管に押し付けることで、管４ａおよび４ｂに作用する。ここで、第１のランナー１２によって、ブレーキ要素は、管４ａまたは４ｂに接触するように軸Ｘに垂直な方向と、第１のハウジング１１に対して当接して第１のハウジング１１内の管の揺動を制限するように軸Ｘに平行な方向と、に移動される。
【００７６】
第１のハウジング１１と第１のランナー１２との間には、管４ａおよび４ｂから離れるように第１のランナーを押すためのばね１３が配置される。
【００７７】
また、第１のランナー１２は、タイロッド１４を介して第１の作動部１５に接続される。作動部は、管４ａおよび４ｂに対して第１のランナー１２の反対側で第１のハウジング１１内に設けられる。
【００７８】
第１の作動部１５は、タイロッド１４が固定された軸Ｙを有するピン１７を中心に揺動可能なカム型要素１６を備える。カム型要素１６の外面は、実質的に円筒形の部分１６ａと平坦な部分１６ｂとを含む全体的に偏心した外郭を有する。
【００７９】
タイロッド１４は、ピン１７および第１のランナー１２を通過するねじ付きピンである。タイロッド１４には、ピン１７に接触し、ユーザが作動させるヘッド１４ａが設けられる。ヘッド１４ａは、ピン１７の反対側で第１のランナー１２の外側に配置されたナット１４ｂに螺合する。
【００８０】
第１のランナー１２の側では、カム型要素１６が第１のハウジング１１の壁１１ａに対向する。
【００８１】
また、カム型要素１６は、スライダ１８上で支持される。スライダ１８は、第１のハウジング１１内で軸Ｘに平行な方向に移動を制限して、第１の作動部１５をその方向に移動させる。
【００８２】
このため、スライダ１８は、スパナを介してユーザが作動させることができるねじ付きピン１９ａの動作によって、軸Ｘに垂直な方向に移動可能な楔部１９上で支持される。
【００８３】
楔部１９および／またはスライダ１８は、傾斜面の領域で互いに接触する。これにより、軸Ｘに垂直な方向への楔部１９の移動が、スライダ１８を軸Ｘに平行な方向に移動させる。
【００８４】
後述するように、スライダ１８、楔部およびねじ付きピン１９ａは、共に第２のクランプ装置２０の調整部材３０を形成する。
【００８５】
また、第１の作動部１５は、第１のランナー１２の反対側でカム型要素１６から延在する制御要素７に接続される。
【００８６】
制御要素７は、ユーザが作動させることができるハンドルによって形成されており、軸Ｙを中心に揺動するようにカム型要素１６を制御する。
【００８７】
また、第１の作動部１５は、移動要素３１を介して第２のクランプ装置２０に接続される。移動要素３１は、回転軸Ｙに対して偏心した位置でカム型要素１６に固定された１対のロッド３２を備える。
【００８８】
ロッド３２は、カム型要素１６から第２のクランプ装置２０まで、管５ａおよび５ｂを通って延在する。
【００８９】
第２のクランプ装置２０は、第２の部分５の第１の端部５ｃの反対側の第２の端部５ｄに固定された第２のハウジング２１を備える。ハウジングの中央には、第３の部分６の管６ａが滑動可能に保持される座部が形成される。
【００９０】
第２のクランプ装置２０は、管６ａから離れるようにおよび管６ａに向かうように移動可能な第２のランナー２２と、第２のランナー２２に接続されてその移動を制御する第２の作動部２３と、を備える。
【００９１】
第２の作動部２３は、軸Ｚを有するピン２５を中心に揺動可能なレバー２４を備える。ピンは、第２のハウジング２１上で回転可能に支持される。レバー２４は、管６ａの両側でピン２５から延在する２つの平行なアーム２６を備える。アーム２６は、移動要素３１のロッド３２に接続され、肢部２７の領域で第２のランナー２２に接触する。これにより、レバー２４が軸Ｚを中心に揺動されたときに、肢２７は、第２のランナー２２を管６ａに押し付けることができる。
【００９２】
制御要素７が上げられた位置にあるときに、クランプ装置１０および２０は、開位置にある。これにより、部分４、５および６が互いに対して自由に滑動することができる。
【００９３】
この位置（図３および図４）では、第１のランナー１２および第２のランナー２２は、管４ａ、４ｂおよび管６ａからそれぞれ離間しており、カム型要素１６の平坦な部分１６ｂは、壁１１ａに対向している。
【００９４】
制御要素７が閉位置（図６参照）に下げられたときに、カム型要素１６は、回転軸Ｙを中心に揺動して、円筒形の部分１６ａで壁１１ａに接触して、ピン１７が壁１１ａから離れるように移動される。これにより、タイロッド１４の牽引力が生じて、第１のランナー１２が管４ａおよび管４ｂに向かうように移動することができる。
【００９５】
同時に、カム型要素１６の揺動がロッド３２を移動させ、特にスパイダ２に向かうようにロッド３２を引き上げる。これにより、レバー２４のアーム２６が引き上げられて、レバーが軸Ｚを中心に揺動して、第２のランナー２２が肢部２７に押されて管６ａに対して移動される（図７参照）。
【００９６】
このようにして、単一の制御要素７に移動によって、第１のクランプ装置１０および第２のクランプ装置２０が同時に作動することができる。
【００９７】
第１のクランプ装置１０のクランプ負荷は、ヘッド１４ａにスパナを用いてタイロッド１４をナット１４ｂにねじ込むことで調整される。実際、特定のナット１４ｂへのタイロッド１４のねじ込み動作またはねじ外し動作は、第１のランナー１２とカム型要素１６との間の距離を変化させる。
【００９８】
対照的に、第２のクランプ装置２０のクランプ負荷は、ねじ付きピン１９ａを介して楔部１９すなわちスライダ１８を移動させることで調整される。スライダ１８の移動は、カム型要素１６を軸Ｘに沿って同様に移動させて、それに接続されたロッド３２も移動させる。ここで、ロッドは、管６ａに近づくようにまたは管６ａから離れるように第２のランナー２２を移動させて、レバー２４を揺動させる。
【００９９】
図８〜図１０は、全体として参照符号１００によって示される、本発明による三脚の第２の実施形態を示す。
【０１００】
三脚１００の構成要素のうち、三脚１の構成要素と類似するものは、同じ参照符号によって示される。
【０１０１】
三脚１００は、第１のクランプ装置１０が異なる構造を有する点で、三脚１とは異なる。
【０１０２】
特に、三脚１００の第１のクランプ装置は、三脚１の第１の作動部１５とは異なる設計を有する第１の作動部１１５を備える。これにより、有利には、第１のクランプ装置１０および第２のクランプ装置２０のクランプ負荷をバランスさせることができ、両方のクランプ装置に対して１つの調整部材を設けることができる。
【０１０３】
したがって、第１の作動部１１５は、制御要素７に固定された第１のレバー１０１と、第１のレバー１０１上でヒンジ固定されて第１のランナー１２に接続された第２のレバー１０２と、を備える。
【０１０４】
第１のレバー１０１は、制御要素７に固定された１対の平行なアーム１０３を備える。アーム１０３は、第２のレバー１０２内の座部１０５に保持される横方向のピン１０４によって結合される。
【０１０５】
上述した実施形態と同様に、第１の作動部１１５と第２の作動部２３とを接続するロッド３２は、ピン１０４から間隔をおいて制御要素７の反対側でアーム１０３に固定される。
【０１０６】
ピン１０４は、第１のハウジング１１に対して移動可能な第１のレバー１０１の第１の回転軸Ｙ’を画定する。
【０１０７】
また、第２のレバー１０２は、第２のレバー１０２の円筒形の部分１０６によって画定される第２の回転軸Ｙ”を中心に揺動することができる。
【０１０８】
第２のレバー１０２は、第２の回転軸Ｙ”から間隔をおいてピン１０４の反対側でこれを接続するピン１０７を介して、第１のランナー１２に固定される。これにより、レバー１０２は、第１のランナー１２に対して揺動することができる。
【０１０９】
第２のレバー１０２は、円筒形の部分１０６によって、調整部材３０上で支持される。調整部材は、上述した例と同様に、スライダ１８を備える。スライダ１８は、ねじ付きピン１９ａを介して軸Ｘに垂直な方向に移動可能な楔部１９を介して、軸Ｘに平行な方向に移動することができる。
【０１１０】
この第２の実施形態では、制御要素７を下げることで、第１のレバー１０１が回転軸Ｙ’を中心に揺動して、ピン１０４の反対側に位置するロッド３２が上昇する。その結果として制御要素７およびロッド３２によってアーム１０３に加えられる力は、ピン１０４から第２のレバー１０２に伝達されて、第２のレバー１０２も第２の回転軸Ｙ”を中心に揺動する（図１０参照）。第２のレバー１０２の揺動によって、第１のランナー１２がピン１０７を介して管４ａおよび管４ｂに向かうように移動する。ここで、ロッド３２が引き上げられることで、第２のランナー２２は、三脚１と同様に管６ａに押し付けられる。
【０１１１】
なお、第１のランナー１２を移動させる力は、ロッド３２が第２のランナー２２を移動させる力に直接依存する。したがって、２つのクランプ装置のクランプ負荷は、常に互いに比例する。
【０１１２】
したがって、調整部材３０を介して、上述した例とまったく同じように第２のレバー１０２の位置を調整することで、第１の締め付け装置および第２の締め付け装置の両方のクランプ負荷を変化させることができる。
【０１１３】
したがって、本発明は、従来技術を参照して上述した課題を解決する。
【０１１４】
言うまでもなく、本願の具体的且つ偶発的な要件を満たす目的で、当業者は、添付の特許請求の範囲の定義から逸脱することなく、上述した発明をさらに修正および変形することができる。
【図１】
2022502706.tif 000003
【図２】
2022502706.tif 000004
【図３】
2022502706.tif 000005
【図４】
2022502706.tif 000006
【図５】
2022502706.tif 000007
【図６】
2022502706.tif 000008
【図７】
2022502706.tif 000009
【図８】
2022502706.tif 000010
【図９】
2022502706.tif 000011
【図１０】
2022502706.tif 000012
【国際調査報告】
2022502706.tif 000013
2022502706.tif 000014